(57)【特許請求の範囲】
【請求項１】
ギターのサウンドホールの開いた表面板の表側にブリッジを固定し、内面に内側駒を接着固定して、前記ブリッジ、表面板及び内側駒に内外を貫通する貫通穴を開けて前記表面板の表側の各弦を挿通し、表面板の内側にも前記各弦を延長し、前記各弦の基端を前記ギターの内部に固定することで、前記表面板に対し内側にも表側と同じ方向の弦を張った構造にしたことを特徴とするギター表面板の振動促進構造。
【請求項２】
各弦の基端を、サウンドホール寄りに設けた弦止め又は上部ブロックに固定した弦止めに挿通支持したことを特徴とする請求項１に記載のギター表面板の振動促進構造。
【請求項３】
前記内側駒の上に、貫通穴の開口強化用の開口板を重ねて補強してあることを特徴とする請求項１または請求項２に記載のギター表面板の振動促進構造。
【請求項４】
前記のブリッジ又は内側駒の弦挿通穴の外端開口は、弦が折れにくいように朝顔状の曲面にしてあることを特徴とする請求項１または請求項２に記載のギター構造。
【請求項５】
ギターのサウンドホールの開いた表面板の表側にブリッジを固定し、内面に内側駒を接着固定して、前記ブリッジ、表面板及び内側駒に内外を貫通する貫通穴を開けて前記表面板の表側の各弦を挿通し、表面板の内側でＵターンさせ、前記各弦の基端を前記ギターの内部に固定することによって、前記表面板の表側の前記各弦によって表面板に作用する曲げ力を打ち消す方向のテンションを前記表面板の内側の前記各弦で発生させることを特徴とするギター表面板の振動促進方法。
【発明の詳細な説明】
【技術分野】
【０００１】
本発明は、ギターなどのような弦楽器における表面板の振動促進構造に関する。
【背景技術】
【０００２】
ギターなどの弦楽器は、弦の振動を表面板に伝達して、表面板の振動で音波を発生させ、聴いている。従って、豊かな振動音を得るには、表面板が振動し易くすることが必要である。
このような目的から、演奏弦の張力に対抗する張力を発生させる対抗弦を設けることが特許文献１で提案されている。
すなわち、対抗弦を設けることによって表面板の負荷を軽減し、演奏弦の張力のために設けていた余分な強度をなくす事により表面板をより振動し易くするものである。
【特許文献１】特開平７−２９５５５８
【発明の開示】
【発明が解決しようとする課題】
【０００３】
しかしながら、対抗弦が表面板の外側に露出するため、外観が煩雑でデザイン性が阻害される。しかも、対抗弦に張力を与えるための糸巻きが必要となり、構造が複雑化し、対抗弦の調弦も面倒である。
本発明の技術的課題は、このような問題に着目し、外観上は従来の弦楽器と何ら変わらず、デザイン性を損なわない、演奏弦以外の特別の調弦も要らない、表面板の振動促進構造を実現することにある。
【課題を解決するための手段】
【０００４】
本発明の技術的課題は次のような手段によって解決される。請求項１は、ギターのサウンドホールの開いた表面板の表側にブリッジ（駒）を固定し、内面に内側駒を接着固定して、前記ブリッジ、表面板及び内側駒に内外を貫通する貫通穴を開けて各弦を挿通し、表面板の内側にも前記各弦を延長し、前記各弦の基端を前記ギターの内部に固定することで、前記表面板に対し内側にも表側と同じ方向の弦を張った構造にしたことを特徴とするギター表面板の振動促進構造である。
このように、ギターの表面板に固定したブリッジと表面板と内側駒に貫通穴を開けて各弦を挿通し、各弦を表面板の内側に延長して、表面板に対し内側にも表側と同じ方向の弦を張った構造になっているため、演奏弦のテンションで表面板の受ける曲げ力が、内側弦のテンションによって打ち消される方向に作用し、バランスする。
【０００５】
その結果、表面板の振動を抑制する方向に作用する曲げ力が低減されるので、演奏弦による表面板の振動抑制が開放されて自由で豊かな振動音が発生し、自然な演奏音が楽しめる。しかも、表面板が振動し易くなるため、音量も増大して拡声装置が不要となり、かつ楽器としての倍音が出やすくなる。
さらに、音の立ち上がりが早くなると共に、音の伸びも長くなり、ハイポジションの音量バランスが良くなる。
曲げ力が低減される結果、表面板の膨らみやへこみなどの変形も抑制できる。しかも、内側弦は外側に露出しないため、外観のデザインを損なうことも無く、対抗弦の糸巻機構などのような露出構造物も存在しない。
【０００６】
請求項２は、各弦の基端を、サウンドホール寄りに設けた弦止め又は上部ブロック（フット）に固定した弦止めに挿通支持したことを特徴とする請求項１に記載のギター表面板の振動促進構造である。
このように、各弦の基端を、サウンドホール寄りに設けた弦止め又は上部ブロックに固定した弦止めに挿通支持するため、表面板のブリッジ取り付け部を表裏両側で棹方向に引っ張ることになり、表面板の演奏弦による曲げ力を確実に相殺抑制し、低減できる。
【０００７】
請求項３は、前記内側駒の上に、貫通穴の開口強化用の開口板を重ねて補強してあることを特徴とする請求項１または請求項２に記載のギター表面板の振動促進構造である。段落「0021」の末尾に記載のように、開口板１５は、弦のテンションで貫通穴開口が損傷したり変形しないような硬度を持った黒檀や樫の木、合成樹脂などが適している。
【０００８】
請求項４は、前記のブリッジ又は内側駒の弦挿通穴の外端開口は、弦が折れにくいように朝顔状の曲面にしてあることを特徴とする請求項１または請求項２に記載のギター構造である。
このように、前記のブリッジ又は内側駒の弦挿通穴の外端開口は、弦が折れにくいように朝顔状の曲面にしてあるため、ブリッジや内側駒の弦挿通穴開口のエッジで弦が折れて損傷したり、断線するような問題が生じない。
また、曲面だと、弦の引っ掛かりが少なく、調弦時の弦の滑りがスムーズになるので、調弦が容易でかつ正確になる。弦の引っ掛かりが少ないので、表面板に対する演奏弦と内側弦とのテンションバランスが良く、表面板の曲げ力を効果的に低減できる。演奏中に弦の引っ掛かりが徐々に解消されて、弦が弛むといった問題も生じない。
【０００９】
請求項５は、ギターのサウンドホールの開いた表面板の表側にブリッジ（駒）を固定し、内面に内側駒を接着固定して、前記ブリッジ、表面板及び内側駒に内外を貫通する貫通穴を開けて前記表面板の表側の各弦を挿通し、表面板の内側でＵターンさせ、前記各弦の基端を前記ギターの内部に固定することによって、演奏弦によって表面板に作用する曲げ力を打ち消す方向のテンションを内側弦で発生させることを特徴とするギター表面板の振動促進方法である。
このように、ギターの表面板に固定したブリッジの位置で各弦を表面板の内側にＵターンさせることによって、演奏弦によって表面板に作用する曲げ力を打ち消す方向のテンションを内側弦で発生させる方法によると、従来のように表面板の振動を抑制するような曲げ力が演奏弦のテンションによって発生するという問題が解消される。
その結果、表面板の自由で自然な振動が可能となり、請求項１の表面板振動促進構造と同様に、音響効果が向上する。しかも、表面板の変形が抑制され、デザイン性を損なうような問題も無く、対抗弦の糸巻機構などのような露出構造物も存在しない。
【発明の効果】
【００１０】
請求項１のように、ギターの表面板に固定したブリッジと表面板と内側駒に貫通穴を開けて各弦を挿通し、各弦を表面板の内側に延長して、表面板に対し内側にも表側と同じ方向の弦を張った構造になっているため、演奏弦のテンションで表面板の受ける曲げ力が、内側弦のテンションによって打ち消される方向に作用し、バランスする。
その結果、表面板の振動を抑制する方向に作用する曲げ力が低減されるので、演奏弦による表面板の振動抑制が開放されて自由で豊かな振動音が発生し、自然な演奏音が楽しめる。しかも、表面板が振動し易くなるため、音量も増大して拡声装置が不要となり、かつ楽器としての倍音が出やすくなる。さらに、内側弦が外側に露出したり、露出構造物も存在しない。
【００１１】
請求項２のように、各弦の基端を、サウンドホール寄りに設けた弦止め又は上部ブロックに固定した弦止めに挿通支持するため、表面板のブリッジ取り付け部を表裏両側で棹方向に引っ張ることになり、表面板の演奏弦による曲げ力を確実に相殺抑制し、低減できる。
【００１２】
請求項３に記載の開口板１５は、弦のテンションで貫通穴開口が損傷したり変形しないような硬度を持った黒檀や樫の木、合成樹脂などが適している。
【００１３】
請求項４のように、前記のブリッジ又は内側駒の弦挿通穴の外端開口は、弦が折れにくいように朝顔状の曲面にしてあるため、ブリッジや内側駒の弦挿通穴開口のエッジで弦が折れて損傷したり、断線するような問題が生じない。
また、曲面にすると弦の引っ掛かりが少なく、調弦時の弦の滑りがスムーズになるので、調弦が容易になる。しかも、滑り易くなるので、表面板に対する演奏弦と内側弦とのテンションバランスが良く、表面板の曲げ力を効果的に低減できる。
【００１４】
請求項５のように、ギター表面板に固定したブリッジの位置で内面に接着固定した内側駒に表側の各弦を通して、表側の各弦を表面板の内側にＵターンさせることによって、演奏弦によって表面板に作用する曲げ力を打ち消す方向のテンションを内側弦で発生させる方法によると、従来のように表面板の振動を抑制するような曲げ力が演奏弦のテンションによって発生するという問題が解消される。
その結果、表面板の自由で自然な振動が可能となり、請求項１の表面板振動促進構造と同様に、音響効果が向上する。しかも、表面板の変形が抑制され、デザイン性を損なうような問題も無く、対抗弦の糸巻機構などのような露出構造物も存在しない。
【発明を実施するための最良の形態】
【００１５】
次に本発明によるギター表面板の振動促進構造と方法が実際上どのように具体化されるか実施形態を説明する。図１は本発明による表面板の振動促進構造を実施したギターの縦断面図で、フレット１を取付けた指板２が棹３の表面に重ねて固定されている。瓢箪状に形成された側板４に表面板５を被せて固定した状態で、棹３の根元のヒール31とフット（上部ブロック）32間に形成される左右一対の嵌入溝33中に、側板４の棹３側端を嵌入し、固定してある。
【００１６】
表面板５の表面には、サドル（骨棒）６を嵌入固定したブリッジ（駒）７を取付け固定してある。通常のギターでは、弦Ｗの基端を挿通し、抜けないように固定するための弦穴ｈ１を開けた弦止め８をブリッジ７上に取付け固定してある。
本発明では、この弦止め８は使用せず、各弦Ｗを表面板５の裏側に挿通する貫通穴ｈ２をブリッジ７に開けてあり、表面板５にも貫通穴ｈ３を開けてある。
表面板５の裏面には、ブリッジ７と対応する位置に内側駒９を接着固定してあり、この内側駒９にも、弦Ｗを挿通するための縦貫通穴ｈ４を開けてある。
【００１７】
表面板５の内面には、サウンドホールＨ寄りの位置に、本発明による弦止め８１を取付け固定してある。弦止め８１には、各弦Ｗを挿通するための横穴ｈ５を開けてあるため、サウンドホールＨ中から各弦Ｗを弦止め８１の横穴ｈ５中に挿通し、次いで内側駒９の縦貫通穴ｈ４→表面板５の縦貫通穴ｈ３→ブリッジ７の縦貫通穴ｈ２に順に挿通して、表面板５の表側に挿通する。次に、各弦Ｗの先端を棹３先端の糸巻まで張って弦Ｗ先端を取付け固定し、糸巻でテンションを付与可能とする。
このようにして、各弦Ｗの基端に取付けてある止めリングｒによって弦止め８１に固定し、各弦Ｗが横穴ｈ５から抜けないように固定する。
その結果、表面板５に対し対称位置において、表面板５の表裏両側に演奏弦Ｗと内側弦ωを同じ方向にＵターン状に張って、前記の曲げ力Ｍ２を打ち消す方向の曲げ力を発生させている。
【００１８】
従来のギターは、ブリッジ７上の弦止め８の横穴ｈ１に各弦Ｗを挿通して、止めリングｒで抜け止めしているため、各弦Ｗによるテンションが弦止め８を介して表面板５に作用し、弦止め８より後方には上向きの曲げ力Ｍ１が発生し、弦止め８よりサウンドホールＨ寄りには下向きの曲げ力Ｍ２が発生する。
その結果、表面板５中央の振動面には、曲げ力Ｍ２が常に作用する。この曲げ力Ｍ２は、表面板５の振動面の振動方向に作用し、表面板５の自由で円滑な振動を抑制する方向に作用するので、各弦Ｗの振動に忠実な音波とはならず、音響効果を阻害している。
【００１９】
ところが、本発明のように表面板５の裏面側にも内側弦ωを張って、表面板５に対し、演奏弦Ｗによるテンションａ１と内側弦ωによるテンションａ２が作用する手法を採っている。しかも、表裏のテンションａ１とａ２は同等であり、従来の曲げ力Ｍ２は打ち消されるので、表面板５の自由で円滑な振動を阻害するという問題が解消される。
従って、表面板５が自由に自然と振動可能で、演奏弦Ｗの振動に忠実に振動し、自然な演奏音が楽しめる。しかも、表面板５が振動し易くなるため、音量も増大して聴取し易くなり、かつ楽器としての倍音が出やすくなる。
さらに、音の立ち上がりが早くなると共に、音の伸びも長くなり、ハイポジションの音量バランスが良くなるなど、音響効果は計り知れない。
構造的にも、曲げ力が低減される結果、表面板の膨らみやへこみなどの変形が少なく、内側弦やその付属機構が外側に露出しないため、外観のデザインを損なうことも無い。
【００２０】
表裏の弦テンションａ１とａ２による曲げ力が同等となって、表面板５の曲げ力Ｍ２を相殺させるには、内側弦ω用の内側駒９や弦止め８１の高さを、演奏弦Ｗ用のサドル６と同じ高さに設定するのがよい。
【００２１】
図２は、図１の胴における裏板１０を取り外して、表面板５の内側を見た斜視図である。表面板５の内面には、図１のブリッジ７と対応する位置に内側駒９を接着固定してあるが、図示例の内側駒９は、横断方向の力木９ａで代用している。
なお、内側駒９の上に、貫通穴ｈ４の開口強化用の開口板１５を重ねて補強している。開口板１５は、弦のテンションで貫通穴開口が損傷したり変形しないような硬度を持った黒檀や樫の木、合成樹脂などが適している。
【００２２】
また、止めリングｒで内側弦ωの抜け止めをするための弦止め81は、サウンドホールＨの下部力木81ａで代用している。通常の直線状の下部力木で６本の内側弦ωの抜け止めをすると、それらのテンションで剥離したり割れたりする恐れがあるので、本発明の下部力木８１ａは、サウンドホールＨの内縁に沿って外側に円弧状に形成することで強度アップを図り、両端だけ直線状に形成してある。
１１は、サウンドホールＨの上部力木、１２は扇形力木、１３、１４は補助力木である。１６は下部（エンド）ブロックである。
【００２３】
内側弦ωの抜け止め用の止めリングｒは、下部力木８１ａ以外を用いて取付けることも可能である。例えば、図１のように上部力木１１を高くして横穴ｈ５を開け、内側弦ωを挿通することも可能である。ただし、サウンドホールＨに対し反対側から各内側弦ωを挿通する必要があるので、挿通作業は面倒である。なお、図示のように下部力木８１の横穴ｈ５への内側弦ω挿通は、サウンドホールＨ側から容易に可能である。
【００２４】
上部ブロック（フット）３２の上板部３２ａの内面に図１のように弦止め８２を接着固定してもよい。ただし、この場合も、サウンドホールＨとは反対側から各内側弦ωを横穴ｈ５中に挿通する必要があるので、挿通作業は面倒である。
内側弦ωの挿通作業を容易にすべく、横穴ｈ５の挿入口を図３Ｒのように朝顔状に形成してガイドにすると、容易に挿通できる。
このように、上部ブロック板３２ａやサウンドホールＨの上部力木１１を利用して弦止めを設ける場合は、内側弦ωがサウンドホールＨの内側を縦断するため、内側弦ωがサウンドホールＨの内部に見えるという問題はある。
【００２５】
以上のようにして各演奏弦Ｗを表面板５の内側にＵターンさせる際に、各演奏弦が急角度で折れ曲がると、その部分の強度が低下して、断線を招く恐れがあるため、例えば図３のように、内側駒９の開口を朝顔状に形成して凸曲面Ｒを設けるのが良い。
ブリッジ７に開けた縦貫通穴ｈ２の上端開口も、エッジ部を研磨したりして、朝顔状の凸曲面に形成すると、演奏弦Ｗが急角度で折れ曲がるのを防止できる。従って、これらの朝顔状開口では、演奏弦Ｗや内側弦ωは、鎖線のように緩慢に曲がるので、急角度で折れ曲がる場合と違って、強いテンションで断線する恐れは無い。
【産業上の利用可能性】
【００２６】
以上のように、ギターの表面板に固定したブリッジと表面板と内側駒に貫通穴を開けて各演奏弦を挿通し、表面板の内側でＵターンさせることによって、演奏弦によって表面板に作用する曲げ力を打ち消す方向のテンションを内側弦で発生させるため、表面板の自由で円滑な振動が阻害されることはなく、自然で豊かな振動音を発し音響効果の優れた弦楽器を実現できる。
【図面の簡単な説明】
【００２７】
【図１】本発明による表面板の振動促進構造を実施したギターの縦断面図である。
【図２】図１の胴における裏板を取り外して、表面板の内側を見た斜視図である。
【図３】内側駒の貫通穴の弦挿入開口を朝顔状に形成した実施形態を示す縦断面図である。
【符号の説明】
【００２８】
３２上部ブロック（フット）
３２ａ上部ブロックの上板部
４側板
５表面板
６サドル（骨棒）
７ブリッジ（駒）
Ｗ演奏弦
ω内側弦
Ｈサウンドホール
８・８１・８２弦止め
８１ａ下部力木
ｈ１〜ｈ５弦穴
９内側駒
Ｒ凸曲面
ｒ止めリング
１１上部力木
【図１】
0005312880.tif 000002
【図２】
0005312880.tif 000003
【図３】
0005312880.tif 000004